(57)【要約】【課題】軽構造で、軽快な感じを与える階段であって、強度が高く、かつ、生産・施工効率がよい階段を提供すること。【解決手段】階段勾配で傾斜する左右一対のトラス構造体１０，１０と、トラス構造体１０の上弦材１０Ｕに固定される踏板支持部材２０と、踏板支持部材２０の上面に支持固定される踏板３０と、隣り合う前記トラス構造体１０，１０同士を互いに連結する複数の連結フレーム材４０とを備える。また、連結フレーム材４０には、トラス構造体１０，１０の上弦材１０Ｕ，１０Ｕ同士を連結する上連結フレーム材４０Ｕと、下弦材１０Ｌ，１０Ｌ同士を連結する下連結フレーム材４０Ｌとが含まれている。【選択図】　　　　　　図９
2004100220.tif 000002
【特許請求の範囲】
【請求項１】
階段勾配で傾斜する複数列のトラス構造体と、当該トラス構造体の上弦材に固定される強度を有する踏板と、隣り合う前記トラス構造体同士を互いに連結する複数の連結フレーム材とを備えることを特徴とする階段。
【請求項２】
階段勾配で傾斜する複数列のトラス構造体と、当該トラス構造体の上弦材に固定される踏板支持部材と、当該踏板支持部材の上面に支持固定される踏板と、隣り合う前記トラス構造体同士を互いに連結する複数の連結フレーム材とを備えることを特徴とする階段。
【請求項３】
前記踏板支持部材は、前記上弦材間に架設されていることを特徴とする請求項２に記載の階段。
【請求項４】
高さ方向に隣り合う前記踏板支持部材同士が互いに連結されていることを特徴とする請求項３に記載の階段。
【請求項５】
高さ方向に隣り合う前記踏板支持部材同士が左右方向に剛性の大きい平板状部材で互いに連結されていることを特徴とする請求項４に記載の階段。
【請求項６】
前記トラス構造体の上弦材および下弦材は、それぞれ複数のフレーム材を節点部材で連結して構成され、
前記節点部材は、その側面に連結溝を有し、
前記フレーム材および前記連結フレーム材は、それぞれ前記連結溝に嵌合可能な接続端部を両端に有し、当該接続端部が前記連結溝に嵌合されていることを特徴とする請求項１乃至請求項５のいずれか一項に記載の階段。
【請求項７】
前記連結フレーム材に、隣り合う前記トラス構造体の上弦材同士を連結する上連結フレーム材が含まれていることを特徴とする請求項１乃至請求項６のいずれか一項に記載の階段。
【請求項８】
前記上連結フレーム材が上下二層に配置されていることを特徴とする請求項７に記載の階段。
【請求項９】
前記上連結フレーム材に、前記上弦材に対して斜交する上連結ラチスフレーム材が含まれ、当該上連結ラチスフレーム材と前記上弦材とによりトラスが形成されていることを特徴とする請求項７又は請求項８に記載の階段。
【請求項１０】
前記連結フレーム材に、隣り合う前記トラス構造体の下弦材同士を連結する下連結フレーム材が含まれていることを特徴とする請求項１乃至請求項９のいずれか一項に記載の階段。
【請求項１１】
前記下連結フレーム材が上下二層に配置されていることを特徴とする請求項１０に記載の階段。
【請求項１２】
前記下連結フレーム材に、前記下弦材に対して斜交する下連結ラチスフレーム材が含まれ、当該下連結ラチスフレーム材と前記下弦材とによりトラスが形成されていることを特徴とする請求項１０又は請求項１１に記載の階段。
【請求項１３】
前記連結フレーム材に、隣り合う前記トラス構造体の一方の上弦材と他方の下弦材とを連結する上下連結フレーム材が含まれていることを特徴とする請求項１乃至請求項１２のいずれか一項に記載の階段。
【請求項１４】
前記トラス構造体の上弦材および下弦材の少なくとも一方に沿って補強部材が配置され、当該補強部材が連続する三つ以上の前記節点部材に固定されることを特徴とする請求項６乃至請求項１３のいずれか一項に記載の階段。
【請求項１５】
前記補強部材は、平板状、Ｌ字形または溝形であることを特徴とする請求項１４に記載の階段。
【請求項１６】
前記補強部材は、断面の少なくとも一部に中空部を有することを特徴とする請求項１４に記載の階段。
【請求項１７】
隣り合う前記トラス構造体の上弦材間および下弦材間の少なくとも一方に板材が取り付けられていることを特徴とする請求項１乃至請求項１６のいずれか一項に記載の階段。
【発明の詳細な説明】
【０００１】
【発明の属する技術分野】
本発明は、階段に関する。
【０００２】
【従来の技術】
従来、外観をすっきりとさせた階段として、トラス状に形成した左右一対の側枠間の内方に踏板を設けたものがある（例えば、特許文献１参照。）。かかる階段は、トラス状に形成してある左右一対の側枠と、両側枠の下弦材間を連結しているつなぎ材と、側枠の上方に位置するとともに側枠に連結材により連結し、側枠の上弦材に沿って平行に配設してある手摺と、両側枠の内方間に設けてある踏板とから構成され、さらに、階段の横座屈を防止すべく、側枠の上弦材の各端部および手摺の各端部がそれぞれ外方に屈曲した屈曲部になっている。
【０００３】
【特許文献１】
実公平４−２１３８９号公報（第１−４頁、第１−４図）
【０００４】
【発明が解決しようとする課題】
しかし、前記の階段では、手摺自体が階段の強度を維持する構造体の役目を果たすものであり、踏板は側枠の下弦材に支持され、側枠の上弦材は踏板よりも上方に位置し、手摺の高さに位置する構成である。このため、当該階段は、手摺を不要とする階段には不向きである。例えば、当該階段を壁面に沿って構築すると、側枠が壁面のすぐ脇に位置することになり、かつ、この側枠は踏板の上方に位置することから、却って美観を損なってしまう。また、比較的自由なデザインを用いることができる階段手摺部が構造体の役目を果たすため、デザインに制約が生じてしまう。
【０００５】
また、前記の階段では、上弦材および手摺に屈曲部を設けて強度向上を図っているが、左右の側枠の上弦材に沿って手摺を配置する構成であり、上弦材同士を連結することが不可能であるため、階段全体の強度向上には限界がある。また、屈曲部を形成するためには、曲げ加工を要するため当然に加工に手間を要する。
【０００６】
さらに、階段の段数および階段勾配などの設置条件に合わせてその都度加工しなければならないため効率よく生産することが難しい。
【０００７】
そこで、本発明は、軽構造で、軽快な感じを与える階段であって、強度が高く、かつ、生産・施工効率がよい階段を提供することを課題とする。
【０００８】
【課題を解決するための手段】
このような課題を解決するために、請求項１の発明は、階段勾配で傾斜する複数列のトラス構造体と、当該トラス構造体の上弦材に固定される強度を有する踏板と、隣り合う前記トラス構造体同士を互いに連結する複数の連結フレーム材とを備えることを特徴とする。
【０００９】
かかる階段によると、踏板をトラス構造体で支持するので、溝形鋼やＩ形鋼のような重厚な部材と異なり、軽構造かつ軽やかで、さらには開放感があり、室内に構築しても、圧迫感が無い。しかも、踏板がトラス構造体の上弦材に固定されるため、当該トラス構造体が踏板の上方に位置することはなく、すっきりとした外観になる。したがって、例えば、壁面に沿って当該階段を構築したときに、踏板の上方において壁面とトラス構造体とが重複することがなく、美観が損なわれることがない。
また、隣り合うトラス構造体同士が連結フレーム材によって一体化されるので、結果として階段全体のねじり剛性および左右方向の曲げ剛性が向上し、階段昇降時に階段に発生するねじれや横揺れを大幅に抑制することができる。
さらに、手摺部を階段本体の構造体としていないので、手摺部のデザインを自由に設定できる。
【００１０】
請求項２の発明は、階段勾配で傾斜する複数列のトラス構造体と、当該トラス構造体の上弦材に固定される踏板支持部材と、当該踏板支持部材の上面に支持固定される踏板と、隣り合う前記トラス構造体同士を連結する複数の連結フレーム材とを備えることを特徴とする。
【００１１】
かかる階段によると、踏板支持部材がトラス構造体の上弦材に固定されるため、当該トラス構造体が踏板の上方に位置することはなく、すっきりとした外観になる。
【００１２】
請求項３の発明は、請求項２に記載の階段であって、前記踏板支持部材は、前記上弦材間に架設されていることを特徴とする。
【００１３】
かかる階段によると、隣り合う上弦材同士が踏板支持部材によって連結されることになるので、トラス構造体の面外方向の変位・変形がより一層小さくなる。すなわち、階段全体の左右方向の曲げ剛性が向上するので、階段昇降時の横揺れを大幅に抑制することができる。また、踏板の中央部が踏板支持部材で支持されることになるので、踏板の撓みも小さくなる。すなわち、踏板自体が保有する強度は小さくてもよいので、踏板の構造、材質の選定の自由度が増す。
【００１４】
請求項４の発明は、請求項３に記載の階段であって、高さ方向に隣り合う前記踏板支持部材同士が互いに連結されていることを特徴とする。
【００１５】
かかる階段によると、複数の踏板支持部材が連結されて一体になっているので、一の踏板支持部材（踏板）に左右方向の荷重が作用したときには、この荷重が他の踏板支持部材に分散する。したがって、階段昇降時に階段に発生するねじれ横揺れを大幅に抑制することができる。
【００１６】
請求項５の発明は、請求項４に記載の階段であって、高さ方向に隣り合う前記踏板支持部材同士が左右方向に剛性の大きい平板状部材で互いに連結されていることを特徴とする。
【００１７】
かかる階段によると、左右方向に剛性の大きい平板状部材で複数の踏板支持部材を連結することにより、階段の左右方向の剛性がより有効に向上する。
【００１８】
請求項６の発明は、請求項１乃至請求項５のいずれか一項に記載の階段であって、前記トラス構造体の上弦材および下弦材は、それぞれ複数のフレーム材を節点部材で連結して構成され、前記節点部材は、その側面に連結溝を有し、前記フレーム材および前記連結フレーム材は、それぞれ前記連結溝に嵌合可能な接続端部を両端に有し、当該接続端部が前記連結溝に嵌合されていることを特徴とする。
【００１９】
かかる階段によると、フレーム材と節点部材との接合、あるいは、連結フレーム材と節点部材との接合は、節点部材の側面に形成された連結溝に、当該連結溝に嵌合可能なように加工された各フレーム材の接続端部を嵌合するだけでなされ、溶接や特別な工具を必要としないので、施工性がよい。さらに、連結されるフレームの本数を増減させるだけで、階段の長さを調節することができる。
【００２０】
請求項７の発明は、請求項１乃至請求項６のいずれか一項に記載の階段であって、前記連結フレーム材に、隣り合う前記トラス構造体の上弦材同士を連結する上連結フレーム材が含まれていることを特徴とする。
【００２１】
かかる階段によると、隣り合う上弦材同士が連結されているので、当該上弦材のトラス面の面外方向への変位・変形が小さくなる。すなわち、トラス構造体の面外方向（左右方向）の曲げ剛性が向上し、結果として階段全体の左右方向の曲げ剛性が向上するので、階段昇降時に階段に発生する横揺れを抑制することができる。
【００２２】
請求項８の発明は、請求項７に記載の階段であって、前記上連結フレーム材が上下二層に配置されていることを特徴とする。
【００２３】
かかる階段によると、隣り合う上弦材同士が強固に一体化されることになるので、トラス構造体の面外方向の曲げ剛性がより一層向上する。すなわち、階段全体の左右方向の曲げ剛性が向上するので、階段昇降時の横揺れをより一層抑制することができる。また、これにより階段の強度を容易に向上することができる。さらに、上連結フレーム材をほぼ左右対称に配置することができ、強度面の向上に加えて外観上の安定感も得られる。
【００２４】
請求項９の発明は、請求項７又は請求項８に記載の階段であって、前記上連結フレーム材に、前記上弦材に対して斜交する上連結ラチスフレーム材が含まれ、当該上連結ラチスフレーム材と前記上弦材とによりトラスが形成されていることを特徴とする。
【００２５】
かかる階段によると、上連結ラチスフレーム材とトラス構造体の上弦材とにより形成される平面のせん断変形が小さくなる。すなわち、階段全体のねじり剛性および左右方向の曲げ剛性が向上するので、階段昇降時に階段に発生するねじれや横揺れを抑制することができる。
【００２６】
請求項１０の発明は、請求項１乃至請求項９のいずれか一項に記載の階段であって、前記連結フレーム材に、隣り合う前記トラス構造体の下弦材同士を連結する下連結フレーム材が含まれていることを特徴とする。
【００２７】
かかる階段によると、隣り合う下弦材が互いに連結されているので、当該下弦材のトラス面の面外方向への変位・変形が小さくなる。すなわち、トラス構造体の面外方向（左右方向）の曲げ剛性が向上し、結果として階段全体の左右方向の曲げ剛性が向上するので、階段昇降時に階段に発生する横揺れを抑制することができる。
【００２８】
請求項１１の発明は、請求項１０に記載の階段であって、前記下連結フレーム材が上下二層に配置されていることを特徴とする。
【００２９】
かかる階段によると、隣り合う下弦材同士が強固に一体化されることになるので、トラス構造体の面外方向の曲げ剛性がより一層向上する。すなわち、階段全体の左右方向の曲げ剛性が向上するので、階段昇降時の横揺れを抑制することができる。
【００３０】
請求項１２の階段は、請求項１０又は請求項１１に記載の階段であって、前記下連結フレーム材に、前記下弦材に対して斜交する下連結ラチスフレーム材が含まれ、当該下連結ラチスフレーム材と前記下弦材とによりトラスが形成されていることを特徴とする。
【００３１】
かかる階段によると、下連結ラチスフレーム材とトラス構造体の下弦材とにより形成される平面のせん断変形が小さくなる。すなわち、階段全体のねじり剛性および左右方向の曲げ剛性が向上するので、階段昇降時に階段に発生するねじれや横揺れをより一層抑制することができる。
【００３２】
請求項１３の発明は、請求項１乃至請求項１２のいずれか一項に記載の階段であって、前記連結フレーム材に、隣り合う前記トラス構造体の一方の上弦材と他方の下弦材とを連結する上下連結フレーム材が含まれていることを特徴とする。
【００３３】
かかる階段によると、階段全体のせん断剛性、ねじり剛性、左右方向の曲げ剛性さらには上下方向の曲げ剛性が向上するので、階段昇降時に階段に発生するねじれ、横揺れ、縦揺れなどを大幅に抑制することができる。
【００３４】
請求項１４の発明は、請求項６乃至請求項１３のいずれか一項に記載の階段であって、前記トラス構造体の上弦材および下弦材の少なくとも一方に沿って補強部材が配置され、当該補強部材が連続する三つ以上の前記節点部材に固定されることを特徴とする。
【００３５】
かかる階段によると、各弦材を構成する複数の節点部材が補強部材で一体化され、トラス構造体の面外方向の曲げ剛性が向上するので、結果としてその面外方向（左右方向）の変形を抑制することができる。これにより、階段の昇降に際し、左右方向に発生する荷重による当該階段の揺れが極めて減少する。さらに、左右のトラス構造体を互いに連結する連結フレーム材を軽構造化あるいはその本数を減らすことが可能で、すっきりとした外観を得ることができる。
【００３６】
請求項１５の発明は、請求項１４記載の階段であって、前記補強部材は、平板状、Ｌ字形または溝形であることを特徴とする。
【００３７】
かかる階段によると、補強部材の製造、取付が容易であり、さらに、Ｌ字形、溝形であれば、上弦材あるいは下弦材を構成するフレーム材が隠れるのでシンプルな意匠となり、トラス面の面内方向（上下方向）の剛性も向上する。
【００３８】
請求項１６の発明は、請求項１４に記載の階段であって、前記補強部材は、断面の少なくとも一部に中空部を有することを特徴とする。
【００３９】
かかる階段によると、補強部材に中空部を設けることにより、その断面性能が向上する。したがって、当該補強部材によって補強されたトラス構造体は、そのトラス面の面外方向（左右方向）のみならず、面内方向（上下方向）の剛性も向上する。
【００４０】
請求項１７の発明は、請求項１乃至請求項１６のいずれか一項に記載の階段であって、隣り合う前記トラス構造体の上弦材間および下弦材間の少なくとも一方に板材が取り付けられていることを特徴とする。
【００４１】
かかる階段によると、隣り合うトラス構造体の弦材間に取り付けられた板材により、これらが一体化されるとともに、隣り合う弦材がなす平面のせん断変形が小さくなる。階段全体のねじり剛性および左右方向の曲げ剛性が向上するので、階段昇降時に階段に発生するねじれや横揺れをより一層抑制することができる。
【００４２】
【発明の実施の形態】
本発明の実施の形態を、添付した図面を参照しつつ、詳細に説明する。なお、同一の要素には同一の符号を付し、重複する説明は省略する。
【００４３】
（第１の実施形態）
本発明の第１の実施形態に係る階段を、図１乃至図１０を参照して説明する。第１の実施形態に係る階段は、図１に示すように、階段勾配で傾斜する左右一対のトラス構造体１０，１０と、このトラス構造体１０，１０の上弦材１０Ｕ，１０Ｕにそれぞれ固定される踏板支持部材２０，２０と、この踏板支持部材２０，２０の上面に支持固定される踏板３０と、隣り合うトラス構造体１０，１０同士を連結する複数の連結フレーム材４０とを主要部として構成され、さらに、踏板３０の側端部の上方に手摺８４が位置し、この手摺８４は踏板３０に取り付けられた手摺支柱８５に支持されている。また、本実施形態では、トラス構造体１０の下端と階下Ｆ１の床面との間には、サポートシュー８１，８２が介設され、上端と階上Ｆ２の梁材Ｆ２１との間には、サポートシュー８３が介設されている。
【００４４】
（トラス構造体）
トラス構造体１０は、図２および図３に示すように、いわゆるワーレントラスであり、上弦材１０Ｕおよび下弦材１０Ｌは、それぞれ複数のフレーム材１１を節点部材（以下、ハブ１２という）で連結して構成され、上弦材１０Ｕと下弦材１０Ｌとがラチス材１３によって互いに連結されている。すなわち、トラス構造体１０は、ハブ１２に複数のフレーム材１１とラチス材１３とを接合して構成される。なお、以下では、適宜、上弦材１０Ｕを構成するハブ１２に「１２Ｕ」の符号を付し、下弦材１０Ｌを構成するハブ１２に「１２Ｌ」の符号を付す。
【００４５】
フレーム材１１は、断面円形のアルミニウム合金製の中空押出形材を加工したものであり、図４（ａ）に示すように、その両端に偏平状の接続端部１１ａを有している。接続端部１１ａは、後記するハブ１２の連結溝１２ａ（図５参照）に嵌合可能であり、中空押出形材の両端をプレス装置などで押し潰すことにより形成される。また、図４（ｂ）に示すように、接続端部１１ａの先端には、フレーム材１１の軸線に直交する方向に沿って凹凸が形成されている。なお、接続端部１１ａがハブ１２の軸線方向に長い偏平状に形成されていることから（図５参照）、ハブ１２の軸線方向の外力に対しては、強度的に強いジョイント構造が形成されることになる。
【００４６】
ハブ１２は、図５に示すように、円柱状であり、ハブ１２の外周面には、５つの連結溝１２ａがハブ１２の軸線方向に沿って凹設され、中央には軸線方向（上下方向）に沿ってボルト挿通孔１２ｂが形成されている。また、５つの連結溝１２ａは、本実施形態では４５度ピッチで形成されている。なお、一つの連結溝１２ａにフレーム材１１の接続端部１１ａとラチス材１３の接続端部１３ａとが接合されるので、ハブ１２の高さ寸法はこれを考慮して決定される。
【００４７】
ハブ１２の連結溝１２ａは、図６に示すように、フレーム材１１の接続端部１１ａの先端部分および後記するラチス材１３の接続端部１３ａの先端部分と同一の断面形状であり、その内壁には、接続端部１１ａ（１３ａ）の凹凸と係合する凹凸が形成されている。また、本実施形態では、ハブ１２はアルミニウム合金製の押出形材からなり、連結溝１２ａおよびボルト挿通孔１２ｂはアルミニウム合金を押出成形する際に形成される。なお、本実施形態では、階段を側面視したときの美観を向上させるべく、連結溝１２ａをハブ１２の片側に形成したが、ハブ１２の形状や連結溝１２ａの個数などは、ハブ１２に接続される部材の本数や角度に合わせて、適宜変更しても差し支えない。
【００４８】
なお、本実施形態では、上弦材１０Ｕを構成するハブ１２（図３中の符号１２Ｕ）と下弦材１０Ｌを構成するハブ１２（図３中の符号１２Ｌ）とは、同一の構成である。
【００４９】
ハブ１２にフレーム材１１を接続する場合には、図５に示すように、フレーム材１１の接続端部１１ａをハブ１２の上面側（あるいは下面側）から連結溝１２ａに嵌合（挿入）すればよい。このとき、溶接や特別な工具を必要としないので、施工性がよい。なお、連結溝１２ａと接続端部１１ａとの間に生じる微細な隙間を埋めるべく、連結溝１２ａに接着剤などを流し込んでもよい。
【００５０】
フレーム材１１の接続端部１１ａをハブ１２の連結溝１２ａに嵌合させると、図６に示すように、連結溝１２ａと接続端部１１ａの各々に形成した凹凸が互いに係合するので、フレーム材１１がその軸線方向に引き抜かれることがない。
【００５１】
また、下弦材１０Ｌを構成するハブ１２Ｌの上下面には、図５に示すように、フレーム材１１などの抜け出しを防止するためのワッシャー１２ｄが取り付けられる。ワッシャー１２ｄは、ハブ１２Ｌのボルト挿通孔１２ｂに挿通されるネジ棒ＢとナットＮにより固定される。さらに、ハブ１２Ｌの上下面には、ネジ棒ＢおよびナットＮを覆い隠すためのキャップ１２ｃが取り付けられる。
一方、上弦材１０Ｕを構成するハブ１２Ｕには、その上面に踏板支持部材２０が取り付けられるので（図３参照）、下面のみにワッシャー１２ｄおよびキャップ１２ｃを取り付ける。なお、踏板支持部材は、ネジ棒Ｂの上端側を利用して固定される。
【００５２】
なお、図５に示すように、連結溝１２ａのうち、フレーム材１１などが接続されないものには、美観の向上を図るべく、連結溝１２ａと同一の寸法・形状を有する溝埋部材１２ｆを嵌合（挿入）する。
【００５３】
ラチス材１３は、フレーム材１１と同種の部材からなるが、図４（ｃ）に示すように、接続端部１３ａの先端が、ラチス材１３の軸線方向に対して角度α（以下、コイン角αとする）をもって切断されている。
【００５４】
ラチス材１３とハブ１２との接合は、前記したフレーム材１１の場合と同様であるが、ラチス材１３の接続端部１３ａの先端がコイン角αで傾いているので、ラチス材１３はハブ１２の軸線に対してコイン角αだけ傾斜して接合される。
【００５５】
（踏板支持部材）
踏板支持部材２０は、図７に示すように、断面多角形状であり、階段勾配で傾斜してハブ１２Ｕの上面に当接する傾斜面（以下、取付面２０ｂという）と、踏板３０が載置される水平面（以下、踏板載置面２０ａという）とを有し、ハブ１２Ｕの上面に固定されている。また、踏板支持部材２０の内側上面には、踏板３０を固定するためのナットを収容するナットポケット２０ｃが形成され、内側上面および内側側面には、ビスホール２０ｄが形成されている。このビスホール２０ｄには、踏板支持部材２０の端面の開口部を塞ぐキャップ板２１（図３参照）を取り付けるためのビスが螺入される。踏板支持部材２０は、アルミニウム合金製の中空押出形材からなり、図７に示す断面形状を有する長尺の押出形材をブロック状に切断して形成される。
【００５６】
（踏板）
踏板３０は、木製や金属製などの板材からなり、ねじ、釘、ボルトなどで踏板支持部材２０の踏板載置面２０ａに固定されている。すなわち、踏板支持部材２０を介してトラス構造体１０の上弦材１０Ｕに固定されている。なお、本実施形態では、図８（ａ）に示すように、左右の上弦材１０Ｕ，１０Ｕ（ハブ１２Ｕ，１２Ｕ）のそれぞれに踏板支持部材２０が取り付けられ、踏板３０は、左右の踏板支持部材２０，２０上に架設されている。この場合、鉛直荷重により踏板３０の中央部に発生する曲げモーメントに対して、踏板３０自身で耐えなければならないので、踏板３０には、この曲げモーメントに耐え得る剛性・強度を保有する材質・構造のものを選定する。
【００５７】
（連結フレーム材）
連結フレーム材４０は、前記したフレーム材１１と同種の部材からなり、その両端に、図４（ａ）（ｂ）に示すフレーム材１１の接続端部１１ａと同様の接続端部が形成されており、ハブ１２の連結溝１２ａに嵌合可能である。したがって、ハブ１２に連結フレーム材４０を接続する場合には、ハブ１２の上面側（あるいは下面側）からハブ１２の連結溝１２ａに接続端部を嵌合（挿入）すればよい。
【００５８】
なお、以下の説明では、複数の連結フレーム材４０のうち、隣り合うトラス構造体１０，１０の上弦材１０Ｕ，１０Ｕ同士を連結するものを上連結フレーム材４０Ｕと称し、下弦材１０Ｌ，１０Ｌ同士を連結するものを下連結フレーム４０Ｌと称する（図９参照）。
【００５９】
上連結フレーム材４０Ｕは、図９および図１０（ａ）に示すように、本実施形態では、その全てが上弦材１０Ｕに対して斜交している（以下、このような上連結フレーム材４０Ｕを「上連結ラチスフレーム材４１」という）。そして、上連結ラチスフレーム材４１と上弦材１０Ｕ，１０Ｕとによりワーレントラスが形成されている。また、ハブ１２の連結溝１２ａが４５度ピッチで形成されているのに対し、上連結斜材４２と上弦材１０Ｕとのなす角度が４５度ではないので、図１０（ｂ）に示すように、接続端部を所定の方向に折り曲げて上弦材１０Ｕに対する傾斜角度を調節する。
【００６０】
下連結フレーム材４０Ｌは、本実施形態では、その全てが下弦材１０Ｌに対して直交している（以下、このような下連結フレーム材４０Ｌを「下連結水平フレーム材４２」という）。すなわち、下連結水平フレーム材４２は、その両端の接続端部が同一高さにあるハブ１２Ｌ，１２Ｌにそれぞれ接合されている。
【００６１】
（手摺・手摺支柱）
手摺（笠木）８４およびこの手摺８４を支持する手摺支柱８５は、図１に示すようなものに限定されることはない。すなわち、手摺８４および手摺支柱８５は、階段自体を支持する構造体ではないので、様々な形状・デザイン、材質のものを自由に選定することができる。
【００６２】
次に、第１の実施形態に係る階段の構築手順を、図５乃至図１０を参照して説明する。
まず、下弦材１０Ｌを構成するハブ１２Ｌの対向する２つの連結溝１２ａ，１２ａのそれぞれにフレーム材１１の接続端部１１ａを嵌合するとともに、同一の連結溝１２ａにラチス材１３の接続端部１３ａを嵌合する（図５参照）。さらに、ラチス材１３の他方の接続端部１３ａを、上弦材１０Ｕを構成するハブ１２Ｕの連結溝１２ａに嵌合するとともに、同一の連結溝１２ａにフレーム材１１の接続端部１１ａを嵌合する。このように複数のフレーム材１１およびラチス材１３をハブ１２で順次連結してトラス構造体１０を二つ形成する（図９参照）。
【００６３】
次いで、この二つのトラス構造体１０，１０の下弦材１０Ｌ，１０Ｌを複数の下連結水平フレーム４２で連結する。このとき、下連結水平フレーム材４２は、下弦材１０Ｌと直交する方向に配置する（図１０（ａ）参照）。すなわち、ハブ１２Ｌの連結溝１２ａ（図５参照）のうち、フレーム材１１と直交する方向に形成された連結溝１２ａに下連結水平フレーム材４２の接続端部を嵌合する。さらに、上弦材１０Ｕ，１０Ｕを複数の上連結ラチスフレーム材４１で連結する。このとき、複数の上連結ラチスフレーム材４１は、それぞれが上弦材１０Ｕと斜交する方向に配置され、全体として上弦材１０Ｕとともにワーレントラスを構成する（図１０（ａ）参照）。
【００６４】
そして、図５に示すように、ハブ１２のボルト挿通孔１２ｂにネジ棒Ｂを挿通し、ハブ１２の上下面に抜止め用のワッシャー１２ｄを介したうえで、ネジ棒Ｂの両端をナットＮで締結する。なお、下連結フレーム材４０Ｌは、同じ高さに位置するハブ１２，１２に接合して水平になるようにする。
【００６５】
続いて、ハブ１２Ｕの上面に踏板支持部材２０を載置し、その後、ハブ１２Ｕのボルト挿通孔１２ｂにその下面側からネジ棒Ｂ（図７参照）を挿通しネジ棒Ｂの両端をナットＮで締結する。すなわち、踏板支持部材２０は、ハブ１２Ｕのボルト挿通孔１２ｂに挿通したネジ棒ＢとナットＮにより、ハブ１２Ｕの上面に固定されることになる。なお、ハブ１２Ｕの下面には、フレーム材１１などの下方向への抜出しを防止するためのワッシャー１２ｄ（図５参照）が取り付けられる。
【００６６】
なお、図５に示すように、各フレーム材が接続されない連結溝１２ａには、溝埋部材１２ｆを挿入しておく。また、ハブ１２の上面および下面に突出するネジ棒ＢおよびナットＮを覆い隠すために、化粧用のキャップ１２ｃを取り付ける。
【００６７】
そして、このユニットを所定の場所に設置する。このとき、トラス構造体１０の下端と階下Ｆ１との間にはサポートシュー８１，８２（図２参照）が介設され、トラス構造体１０の上端と階上Ｆ２との間にはサポートシュー８３（図２参照）が介設される。
【００６８】
最後に、図７に示すように、踏板支持部材２０の踏板載置面２０ａの上面に踏板３０を載置するとともに、踏板３０の上面側からボルト、木ねじ、ドリルビスなどを踏板支持部材２０に挿通あるいは螺入して踏板３０を踏板支持部材２０に支持固定し、適宜手摺支柱８５および手摺８４（図１および図２参照）を取り付けて階段の構築が完了する。
【００６９】
このように、トラス構造体１０などの組立において、各フレーム材とハブ１２との接合は、各フレーム材の接続端部をハブ１２の連結溝に圧入嵌合するだけでよく、溶接や特別な工具を必要としないので、組立が容易で、さらに、接続用の部品を削減することができるので経済的である。
【００７０】
また、トラス構造体１０，１０、踏板支持部材２０，２０、連結フレーム材４０を予め組み立ててユニット化しておくことで、作業時間を短縮することができ、さらに、ユニット化しても従来の溝形鋼やＩ形鋼などを側桁とする階段と比較して、非常に軽量なので、設置作業は容易である。
【００７１】
なお、ユニット化の単位は、前記したものに限定されることはなく、例えば、踏板３０、手摺８４、手摺支柱８５も予め一体化しておいてもよい。この場合には、このユニットを階下Ｆ１の床板と階上Ｆ２の梁材Ｆ２１との間に架設するだけで階段の構築が完了する。
【００７２】
以上、本実施形態に係る階段によると、踏板３０をトラス構造体１０，１０で支持するので、溝形鋼やＩ形鋼のような重厚な部材と異なり、軽構造かつ軽やかで、さらには開放感があり、室内に構築しても、圧迫感が無い。しかも、踏板支持部材２０がトラス構造体１０，１０の上弦材１０Ｕ，１０Ｕに固定され、この踏板支持部材１０Ｕ，１０Ｕの上面に踏板３０が支持固定される構成であるため、トラス構造体１０が踏板３０の上方に位置することはなく、すっきりとした外観になる。したがって、例えば、図１に示すように、壁面Ｗに沿って本実施形態に係る階段を構築したときに、踏板３０の上方において壁面Ｗとトラス構造体１０とが重複することがないので、美観が損なわれることがない。
【００７３】
また、左右のトラス構造体１０，１０は、上連結フレーム材４０Ｕ（上連結ラチスフレーム材４１）と下連結フレーム材４０Ｌ（下連結水平フレーム材４２）とにより、その面外方向（左右方向）の変位・変形が拘束されている。したがって、階段全体のねじり剛性および左右方向の曲げ剛性が向上し、階段昇降時に階段に発生するねじれや横揺れを大幅に抑制することができる。
【００７４】
さらに、本実施形態では、上連結フレーム材４０Ｕが上弦材１０Ｕに対して斜交する上連結ラチスフレーム材４１であり、この上連結ラチスフレーム材４１と左右の上弦材１０Ｕ，１０Ｕとでワーレントラスが形成されているので、上連結ラチスフレーム材４１と上弦材１０Ｕ，１０Ｕとにより形成される平面のせん断変形が小さくなる。すなわち、階段全体のねじり剛性および左右方向の曲げ剛性が向上するので、階段昇降時に階段に発生するねじれや横揺れを抑制することができる。
【００７５】
また、本実施形態に係る階段は、フレーム材１１、ハブ１２、ラチス材１３、踏板支持部材２０、連結フレーム材４０といった各種部材を、工場にて大量生産することができ、かつ、階段の長さや段数などを調節する場合には、各フレーム材の本数を増減させるだけでよいので、生産効率が高い。
【００７６】
次に、第１の実施形態に係る階段の変形例を、図８および図１１乃至図１６を参照して説明する。
【００７７】
（変形例１）
前記した第１の実施形態では、図８（ａ）に示すように、左右の上弦材１０Ｕ，１０Ｕ（ハブ１２Ｕ，１２Ｕ）のそれぞれにブロック状の踏板支持部材２０，２０を取り付けたが、図８（ｂ）に示すのように、一つの形材で形成された踏板支持部材２０’を左右の上弦材１０Ｕ，１０Ｕ（ハブ１２Ｕ，１２Ｕ）の上面に架設するとともに、この踏板支持部材２０’の上面に踏板３０を支持固定してもよい。
【００７８】
このようにすると、隣り合う上弦材１０Ｕ，１０Ｕ同士が踏板支持部材２０’によっても互いに連結されることになるので、トラス構造体１０の面外方向の変位・変形がより一層小さくなる。すなわち、階段全体の左右方向の曲げ剛性が向上するので、階段昇降時の横揺れを大幅に抑制することができる。また、踏板３０の中央部が踏板支持部材２０’で支持されることになるので、踏板３０の撓みも小さくなる。すなわち、踏板３０自体が保有する強度は小さくてもよいので、踏板３０の構造、材質選定の自由度が増す。
【００７９】
（変形例２）
連結フレーム材４０の配置も前記した実施形態のものに限定されることはなく、様々な態様が可能である。
【００８０】
例えば、図１１および図１２（ｂ）に示すように、下連結水平フレーム材４２に加えて、下弦材１０Ｌに対して斜交する下連結ラチスフレーム材４３で下弦材１０Ｌ，１０Ｌを連結してもよい。すなわち、複数の下連結フレーム材４０のうち、その一部を下弦材１０Ｌに対して直交させ、残りを斜交させてもよい。また、上弦材１０Ｕ，１０Ｕは、前記した実施形態の場合と同様に、上連結ラチスフレーム材４１によって互いに連結されている（図１２（ａ）参照）。
【００８１】
このようにすると、下連結ラチスフレーム材４３と左右の下弦材１０Ｌ，１０Ｌと下連結水平フレーム材４２とによってトラスが形成されることになるので、下弦材１０Ｌ，１０Ｌにより形成される平面のせん断変形も小さくなる。すなわち、階段全体のねじり剛性および左右方向の曲げ剛性が向上するので、階段昇降時に階段に発生するねじれや横揺れを抑制することができる。
【００８２】
（変形例３）
さらに、図１３および図１４（ａ）に示すように、上連結ラチスフレーム材４１を上下二層に配置してもよい。これは、図９に示す複数の上連結ラチスフレーム材４１の下側に、この上連結ラチスフレーム材４１と平面視して交差するように上連結ラチスフレーム材４１’を配置したものである。すなわち、図１４（ｂ）に示すように、上層側の上連結ラチスフレーム材４１と下層側の上連結ラチスフレーム材４１’とで、ハブ１２Ｕに接合する高さ位置を違えてある。なお、以下の説明および図面においては、上下二層の上連結ラチスフレーム材４１のうち、下層側の上連結ラチスフレーム材４１に「’」を付して上層側のそれと区別する。
【００８３】
このようにすると、隣り合う上弦材１０Ｕ，１０Ｕ同士が強固に一体化されることになるので、トラス構造体１０の面外方向の曲げ剛性がより一層向上する。すなわち、階段全体の左右方向の曲げ剛性が向上するので、階段昇降時の横揺れをより一層抑制することができる。また、これにより階段の強度を容易に向上することができる。さらに、上連結ラチスフレーム材４１を平面視して左右対称に配置することができ、強度面の向上に加えて外観上の安定感も得られる。
【００８４】
なお、図示は省略するが、上層側の上連結ラチスフレーム材４１と下層側の上連結ラチスフレーム材４１’とを平面視して交差させて配置せずに、上下に平行に、すなわち、同一方向に配置させてもよい。また、下連結フレーム材４０Ｌを上下二層に配置してもよい。
【００８５】
（変形例４）
さらに、図１５および図１６（ａ）（ｂ）に示すように、一方のトラス構造体１０の上弦材１０Ｕと他方のトラス構造体１０の下弦材１０Ｌとを連結する上下連結フレーム材４０ＵＬを配置してもよい。本実施形態では、一方のトラス構造体１０の上弦材１０Ｕを構成するハブ１２Ｕに、対向する他方のトラス構造体１０の下弦材１０Ｌに向かう二本の上下連結フレーム材４０ＵＬ，４０ＵＬが接続されている。
【００８６】
このようにすると、階段全体のせん断剛性、ねじり剛性、左右方向の曲げ剛性さらには上下方向の曲げ剛性が向上するので、階段昇降時に階段に発生するねじれ、横揺れ、縦揺れなどを大幅に抑制することができる。特に、左右のトラス構造体１０，１０の間隔が大きい場合に有効である。
【００８７】
（その他の変形例）
この他にも、連結フレーム材の配置パターンには様々な態様がある。例えば、図示は省略するが、上連結フレーム材は、上弦材１０Ｕに対して直交して配置してもよい。この場合には、上連結フレームの両端の接続端部は、同一高さにあるハブ１２，１２にそれぞれ接合されることになる。また、上弦材１０Ｕに直交する上連結フレーム材のみで上弦材１０Ｕ，１０Ｕを連結した場合には、梯子状となり、上連結ラチスフレーム材４１と併用するとプラットトラス、ハウトラスなどが形成されることになる。
【００８８】
（第２の実施形態）
本発明の第２の実施形態に係る階段は、図１７に示すように、前記した第１の実施形態に係るトラス構造体１０の上弦材１０Ｕに沿って補強部材５０を配置するとともに、この補強部材５０を連続する三つ以上のハブ１２Ｕに固定したものである。すなわち、トラス構造体１０（フレーム材１１とハブ１２の接合部）の弱軸方向の強度を補強する方向に補強部材５０を配置したものである。また、左右のトラス構造体１０，１０は、その下弦材１０Ｌ，１０Ｌ同士が下連結フレーム材４０Ｌにより連結されている。
【００８９】
補強部材５０は、アルミニウム合金製の押出形材であり、本実施形態では、上弦材１０Ｕの全長と同じ長さを有している。また、図１８（ａ）に示すように、補強部材５０の断面形状は、下面が開口する溝形であり、上弦材１０Ｕを内包することができる。より詳細には、補強部材５０は、上弦材１０Ｕの上面側に位置する上板５０ａと、この上板５０ａの側端部から下方に垂下して上弦材１０Ｕ（フレーム材１１）を覆い隠す側板５０ｂ，５０ｂとで構成され、上板５０ａがハブ１２Ｕの上面に当接する。
【００９０】
補強部材５０をハブ１２Ｕに固定するには、上弦材１０Ｕの上側から補強部材５０を覆い被せ（図１７参照）、補強部材５０の上面に踏板支持部材２０を配置した後に、ボルトをハブ１２Ｕの下面から補強部材５０を貫通して踏板支持部材２０の内部にまで挿通させ、これをナットで締結すればよい。このとき、踏板支持部材２０が補強部材５０の上面に支持固定される。
【００９１】
このように、上弦材１０Ｕを構成する複数のハブ１２Ｕを補強部材５０で一体化することにより、トラス構造体１０の面外方向の曲げ剛性が向上し、結果として階段昇降時の横揺れが格段に抑制される。すなわち、少なくとも三つのハブ１２Ｕを補強部材５０で一体化すれば、少なくともその中間のハブ１２Ｕは、当該ハブ１２Ｕの回転する方向に対して補強されるので、トラス構造体の面外方向の曲げ剛性が向上し、その面外方向の変形が抑制される。また、本実施形態のごとく上弦材１０Ｕの全長におよぶ補強部材５０を用いれば、全長にわたり補強され、例えば、連結フレーム材４０および踏板支持部材２０を軽構造化することができる。
【００９２】
また、補強部材５０の断面形状が溝形なので、階段を側面視したときに、補強部材５０の側板５０ｂによって上弦材１０Ｕが覆い隠され、すっきりとした外観になり、さらに上下方向の剛性も向上する。
【００９３】
（変形例１）
前記した第２の実施形態では、上弦材１０Ｕに沿って補強部材５０を取り付けたが、図１８（ｂ）に示すのように、下弦材１０Ｌに沿って補強部材５０’を取り付けるとともに、この補強部材５０’を複数のハブ１２Ｌに固定してもよい。この場合には、下弦材１０Ｌを構成する複数のハブ１２Ｌが一体にされ、下弦材１０Ｌの面外方向（左右方向）の剛性が向上する。したがって、複数の連結フレーム材のうち、下弦材１０Ｌ，１０Ｌ同士を連結する下連結フレーム材４０Ｌを軽構造化もしくは省略することが可能である。また、ハブ１２Ｌの下面に補強部材５０’が当接し、この補強部材５０’によりフレーム材１１およびラチス材１３の下方向への抜出しが防止される。
【００９４】
（変形例２）
補強部材５０の断面形状は、図１８（ａ）（ｂ）に示すものに限定されることはなく、例えば、図１９（ａ）に示すように、断面Ｌ字形状の補強部材５１であってもよい。断面Ｌ字形の補強部材５１によっても上弦材１０Ｕを構成するフレーム材１１が隠れるのでシンプルな意匠となり、さらに上下方向の剛性も向上する。したがって、複数の連結フレーム材のうち、上弦材１０Ｕ，１０Ｕ同士を連結する上連結フレーム材４０Ｕを軽構造化もしくは省略することが可能である。
【００９５】
また、補強部材が平板状の場合では、当該補強部材とフレーム材１１との間に隙間が生じるが、Ｌ字形または溝形の形材であれば、当該隙間が隠されるのでより意匠性が向上する。
【００９６】
（その他の変形例）
補強部材は、主にトラス構造体１０の面外方向の剛性を向上させることを目的としているので、例えば、図１９（ｂ）に示すように、平板状の板材（図中符号５２）を補強部材としてもよい。すなわち、補強部材５２は、平板であるが故にその上下方向（板厚方向）の剛性は必ずしも高くないが、左右方向（幅方向）の剛性は大きく、したがって、平板状の補強部材５２であってもトラス構造体１０の面外方向の剛性を十分に向上させることができる。
【００９７】
一方、補強部材に上下方向の荷重も分担させる場合には、図１９（ｃ）に示すように、中空部５３ａを備える形材５３を上弦材１０Ｕあるいは下弦材１０Ｌに沿って配置してもよく、また、図１９（ｄ）に示すように、その一部に中空部５４ａを備える形材５４を、その中空部５４ａが上弦材１０Ｕの側方に位置するように配置してもよい。
【００９８】
（第３の実施形態）
本発明の第３の実施形態に係る階段は、図２０に示すように、左右一対のトラス構造体１０，１０の上弦材１０Ｕ，１０Ｕ間に架設された複数の踏板支持部材２０の下面に中間補強部材６０を配置するとともに、複数の踏板支持部材２０のそれぞれに固定したものである。すなわち、高さ方向に隣り合う複数の踏板支持部材２０が中間補強部材６０で連結されて一体化されている。また、左右のトラス構造体１０，１０は、その下弦材１０Ｌ，１０Ｌ同士が下連結水平フレーム材４２（下連結フレーム材４０Ｌ）により連結されている。
【００９９】
中間補強部材６０は、左右方向に剛性の大きいアルミニウム合金製の平板状の板材であり、好適には、最下段の踏板支持部材２０から最上段の踏板支持部材２０を一体にできるだけの長さとするのがよい。また、中間補強部材６０は、その上面を踏板支持部材２０の取付面２０ｂ（図７参照）に当接させるとともに、その下面側からドリルビスなどを打ち込むことで固定される。また、中間補強部材６０は、アルミニウム合金製の平板状の板材に替えて、ポリカーボネート板、アクリル樹脂板などの合成樹脂板でもよい。
【０１００】
このように、平板状で左右方向に強度の強い中間補強部材６０で複数の踏板支持部材２０を一体化することで、一の踏板支持部材２０（踏板３０）に左右方向の荷重が作用したときに、その荷重がトラス構造体１０に全て伝わらず中間補強部材６０で受けられ、さらに、この荷重が他の踏板支持部材２０に分散されるので、例えば、階段昇降時などにおいて、ねじれや横揺れを大幅に抑制することができ、また、連結フレーム材４０および踏板支持部材２０の軽構造化を図ることができる。
【０１０１】
（第４の実施形態）
本発明の第４の実施形態に係る階段は、図２１に示すように、左右一対のトラス構造体１０，１０間に板材７０を取り付けたものである。また、左右のトラス構造体１０，１０は、その下弦材１０Ｌ，１０Ｌ同士が下連結水平フレーム材４２（下連結フレーム材４０Ｌ）により連結されている。
【０１０２】
板材７０は、本実施形態では、多数の小孔が穿設された板材からなり、上弦材１０Ｕを構成する複数のハブ１２Ｌの上面に固定されている。なお、板材７０は、ポリカーボネート板、アクリル樹脂板、アルミニウム合金板などでもよい。
【０１０３】
このように、左右の上弦材１０Ｕ，１０Ｕ間に板材７０を取り付けることにより、左右のトラス構造体１０，１０が一体化されるとともに、上弦材１０Ｕ，１０Ｕがなす平面のせん断変形が抑制されるので、階段昇降時にトラス構造体１０，１０に発生するねじれや横揺れが大幅に抑制される。また、連結フレーム材４０および踏板支持部材２０の軽構造化を図ることができる。
【０１０４】
なお板材７０は、上弦材１０Ｕの全長に渡って取り付けてもよいし、その一部に取り付けてもよい。例えば、図２２に示すように、互いに隣り合う左右二個（計四個）のハブ１２Ｕに板材７０’を固定しても、四個のハブ１２Ｕがなす平面のせん断変形が抑制されるので、階段昇降時にトラス構造体１０，１０に発生するねじれや横揺れが大幅に抑制される。
【０１０５】
また、図２１および図２２に示す階段では、左右の上弦材１０Ｕ，１０Ｕ間に板材７０（７０’）を取り付けたが、左右の下弦材１０Ｌ，１０Ｌ間に取り付けてもよく、さらには、両方に取り付けてもよい。
【０１０６】
（第５の実施形態）
前記した各実施形態では、上弦材１０Ｕおよび下弦材１０Ｌを、それぞれ複数のフレーム材１１をハブ１２で連結して構成していたが、これに替えて、図２３に示すのように、その全長におよぶ長さを有する１本の長尺の形材で上弦材１０Ｕ’および下弦材１０Ｌ’を形成し、上弦材１０Ｕ’の下面および下弦材１０Ｌ’の上面にハブ１２’を取り付けてトラス構造体１０’を構成してもよい。また、左右のトラス構造体１０’，１０’は、その下弦材１０Ｌ’，１０Ｌ’同士が下連結水平フレーム材４２（下連結フレーム材４０Ｌ）により連結されている。
【０１０７】
上弦材１０Ｕ’および下弦材１０Ｌ’は、本実施形態では、アルミニウム合金製の中空押出形材からなり、図２２に示すように、断面矩形であり、その内部には、上下方向に仕切板が形成されている。上弦材１０Ｕ’および下弦材１０Ｌ’は、内部が中空であるため非常に軽量であり、さらに内部に仕切板が形成されているので、上弦材１０Ｕ’および下弦材１０Ｌ’に作用する鉛直荷重および軸圧縮力に対して強い断面構造である。
【０１０８】
ハブ１２’は、前記の各実施形態のハブ１２と同様の構成であるので詳細な説明は省略する。
【０１０９】
このように、上弦材１０Ｕ’および下弦材１０Ｌ’が長尺の形材で構成される場合には、その生産が容易であり、また、ハブ１２’を上弦材１０Ｕ’の下面および下弦材１０Ｌ’の上面に取り付ける構成とすることで、上弦材１０Ｕ’および下弦材１０Ｌ’の内部形状を荷重条件などに合わせて任意に設定することができる。
【０１１０】
また、本実施形態では、上弦材１０Ｕ’および下弦材１０Ｌ’ともにトラス構造体１０’の全長におよぶ長さのものとしたが、いずれか一方のみをトラス構造体１０の全長におよぶ長さとし、その他は第１の実施形態に示した如く節点部材（ハブ）を介して接続された短尺のフレーム材で構成することもできる。
【０１１１】
（その他）
第１乃至第５の実施形態で図示した各トラス構造体は、シングルワーレントラス状であるが、例えば、図示は省略するが、プラットトラス状やハウトラス状であってもよい。
【０１１２】
また、節点部材は、本実施形態のハブ１２のような円柱形状に限らず、角柱形状などの他の形式の節点部材やボールジョイント方式の節点構造であってもよい。さらには、ラチス材やフレーム材はボルトや溶接などにより接合してもよい。
【０１１３】
また、前記の各実施形態では、左右一対（二列）のトラス構造体１０，１０に踏板３０が支持される構成であったが、トラス構造体１０を三列以上配置された階段であってもよい。
【０１１４】
【発明の効果】
本発明に係る階段によれば、側桁が溝形鋼やＩ形鋼で構成されていた従来の階段に比べ、軽構造であり、軽快・開放感のある階段を構築することができる。また、軽構造であるため施工時の取り扱いが容易になり、したがって、施工効率が向上する。
【０１１５】
さらに、階段の構築に際して、特別な工具や溶接を必要としないので、階段を容易に構築することができる。さらに、トラス構造体を構成する各部材は、工場などにおいて量産しておくことができるので、生産効率がよい。
【０１１６】
また、隣り合うトラス構造体を互いに連結する連結フレーム材を適宜配置することによって、階段の強度を容易に向上させることができ、階段昇降時の横揺れや撓みの小さくすることができる。
【図面の簡単な説明】
【図１】第１の実施形態に係る階段の斜視図である。
【図２】図１の側面図である。
【図３】図１の拡大側面図である。
【図４】（ａ）は上弦材および下弦材を構成するフレーム材を示す斜視図、（ｂ）は（ａ）の側面図、（ｃ）はラチス材を示す側面図である。
【図５】（ａ）は節点部材（ハブ）とフレーム材との接合方法を説明する斜視図である。
【図６】同じく断面図である。
【図７】踏板支持部材の断面図である。
【図８】（ａ）図３のＸ−Ｘ断面図、（ｂ）は踏板支持部材の他の形態を示す図である。
【図９】図１の拡大斜視図であって、踏板および踏板支持部材を一部省略した図である。
【図１０】（ａ）は連結フレーム材の配置を示す平面図、（ｂ）は上連結ラチスフレーム材を示す平面図である。
【図１１】第１の実施形態に係る階段の変形例を示す斜視図である。
【図１２】（ａ）は上連結フレームの配置を示す平面図、（ｂ）は下連結フレームの配置を示す平面図である。
【図１３】第１の実施形態に係る階段の他の変形例を示す斜視図である。
【図１４】（ａ）は上連結フレームの配置を示す平面図、（ｂ）は断面図である。
【図１５】第１の実施形態に係る階段のさらに他の変形例を示す斜視図である。
【図１６】（ａ）は上下連結フレームの配置を示す平面図、（ｂ）は断面図である。
【図１７】第２の実施形態に係る階段の分解斜視図である。
【図１８】（ａ）は図１７の断面図、（ｂ）は補強部材の他の形態を示す断面図である。
【図１９】（ａ）（ｂ）（ｃ）（ｄ）は補強部材の他の形態を示す断面図である。
【図２０】第３の実施形態に係る階段の斜視図である。
【図２１】第４の実施形態に係る階段の斜視図である。
【図２２】第４の実施形態に係る階段の変形例を示す斜視図である。
【図２３】第５の実施形態に係る階段の斜視図である。
【符号の説明】
１０　　トラス構造体
１０Ｕ　　上弦材
１０Ｌ　　下弦材
１１　　　フレーム材
１１ａ　　接続端部
１２　　　節点部材（ハブ）
１２ａ　　連結溝
１３　　　ラチス材
２０，２０’　　踏板支持部材
３０　　　踏板
４０　　　連結フレーム材
４０Ｕ　　上連結フレーム材
４０Ｌ　　下連結フレーム材
４０ＵＬ　上下連結フレーム材
４１　　　上連結ラチスフレーム材
４２　　　下連結水平フレーム材
４３　　　下連結ラチスフレーム材
５０　　　補強部材
６０　　　中間補強部材
７０　　　板材
８１，８２，８３　　サポートシュー
８４　　　手摺
８５　　　手摺支柱
【図１】
2004100220.tif 000003
【図２】
2004100220.tif 000004
【図３】
2004100220.tif 000005
【図４】
2004100220.tif 000006
【図５】
2004100220.tif 000007
【図６】
2004100220.tif 000008
【図７】
2004100220.tif 000009
【図８】
2004100220.tif 000010
【図９】
2004100220.tif 000011
【図１０】
2004100220.tif 000012
【図１１】
2004100220.tif 000013
【図１２】
2004100220.tif 000014
【図１３】
2004100220.tif 000015
【図１４】
2004100220.tif 000016
【図１５】
2004100220.tif 000017
【図１６】
2004100220.tif 000018
【図１７】
2004100220.tif 000019
【図１８】
2004100220.tif 000020
【図１９】
2004100220.tif 000021
【図２０】
2004100220.tif 000022
【図２１】
2004100220.tif 000023
【図２２】
2004100220.tif 000024
【図２３】
2004100220.tif 000025